(57)【要約】【課題】電気機器の位相リード線の接続の信頼性を高める。【解決手段】電気機器用ステータがステータコアに配置されたステータ巻線を備え、ステータ巻線は、１つ以上の位相リード線を有し、各位相リード線は、電気的に並列な関係に配置された少なくとも２つの導線セグメントを有する単一の一体的導線を含む。少なくとも２つの導線セグメントのうちの第１導線セグメントと第２導線セグメントとの間の単一の一体的導線内に接続部分が形成され、導線を電気的コンポーネントに接続するようになっている。【選択図】図２
2013532948.tif 000002
【特許請求の範囲】
【請求項１】
ステータコアに配置されたステータ巻線を備え、前記ステータ巻線は、１つ以上の位相リード線を有し、各位相リード線は、電気的に並列な関係に配置された少なくとも２つの導線セグメントを有する単一の一体的導線を含み、
前記少なくとも２つの導線セグメントのうちの第１導線セグメントと第２導線セグメントとの間の単一の一体的導線内に形成され、該導線を電気的コンポーネントに接続するようになっている接続部分を更に備える電気機器用ステータ。
【請求項２】
前記ステータ巻線は、３つの位相リード線を含む、請求項１に記載のステータ。
【請求項３】
各位相リード線は、２つの電気的に並列な導線セグメントを含む、セグメント１に記載のステータ。
【請求項４】
前記接続部分は、前記導線と一体的に形成されている、請求項１に記載のステータ。
【請求項５】
前記接続部分は、前記導線とは別個に形成され、前記導線に固定されている、請求項１に記載のステータ。
【請求項６】
前記接続部分は、ループ形状または部分的ループ形状となっている、請求項１に記載のステータ。
【請求項７】
前記接続部分は、インバータまたはコンバータに作動的に接続可能である、請求項１に記載のステータ。
【請求項８】
中心軸に配置されたロータと、
前記ロータに配置されたステータと、を備え、前記ステータは、
ステータコアと、
前記ステータコアに配置されたステータ巻線とを備え、該ステータ巻線は、１つ以上の位相リード線を有し、各位相リード線は、電気的に並列な関係に配置された少なくとも２つの導線セグメントを有する単一の一体的導線を含み、
前記少なくとも２つの導線セグメントのうちの第１導線セグメントと第２導線セグメントとの間の単一の一体的導線内に形成され、該導線を電気的コンポーネントに接続するようになっている接続部分を更に備える電気機器。
【請求項９】
前記ステータ巻線は、３つの位相リード線を含む、請求項８に記載の電気機器。
【請求項１０】
各位相リード線は、２つの電気的に並列な導線セグメントを含む、請求項８に記載の電気機器。
【請求項１１】
前記接続部分は、前記導線と一体的に形成されている、請求項８に記載の電気機器。
【請求項１２】
前記接続部分は、前記導線とは別個に形成され、前記導線に固定されている、請求項８に記載の電気機器。
【請求項１３】
前記接続部分は、ループ形状または部分的ループ形状となっている、請求項８に記載の電気機器。
【請求項１４】
前記接続部分は、インバータまたはコンバータに作動的に接続可能である、請求項８に記載の電気機器。
【発明の詳細な説明】
【技術分野】
【０００１】
本発明は、一般的には電気機器に関し、より詳細には、並列経路の電気機器のための位相リード線接続部に関する。
【背景技術】
【０００２】
代表的な電気機器のステータは、所定の数の並列パスと直列に巻かれるか、またはこれら並列パスと共に巻かれたステータ巻線を含み、更に２つ以上の位相も含むことができる。この電気機器を例えばインバータに接続する配線ハーネスでは、一般に電気機器内の並列パスの数とは関係なく、位相リード線ごとに１つのコネクタが設けられている。一般的には配線ハーネスに接続するために、各位相リード線の各端部内に１つのアイレットが形成されている。例えば、３つの位相リード線（Ａ、Ｂ、Ｃ）および２つの並列パス（１、２）を有する電気機器では、６つのアイレット（Ａ１、Ａ２、Ｂ１、Ｂ２、Ｃ１、Ｃ２）が形成される。これらアイレットは、各位相リード線のためのアイレットが合わせ表面において互いに接触できるように設置され、よって（Ａ１からＡ２へ、Ｂ１からＢ２へ、Ｃ１からＣ２へ）共に固定できるように、合わせ表面を含む。３つのペアのアイレットの各々は次に配線ハーネスに接続される。しかしながらこのタイプの接続部には、この接続部に関連したいくつかの問題がある。第１の問題は、合わせ表面の間の接続部が合わせ表面での酸化に起因して抵抗が極めて高くなり得ることであり、第２の問題は、これらアイレットおよび合わせ表面が不適性に形成されることおよび／または不適性に取り扱われる結果、２つの合わせ表面の間での接触表面積が小さくなることである。この結果、アイレットを通過する電流の転送が損なわれたり、位相リード線が過熱したり、故障したりすることである。第３の問題は、これらアイレットを共に固定し、作動環境における振動およびその他の負荷に耐えるようにしなければならないことである。アイレットの間の接続が緩くなったり、壊われた場合、ジョイント内で過剰な熱が発生し、その結果、位相リード線が故障することになる。
【発明の概要】
【発明が解決しようとする課題】
【０００３】
当業者であれば、電気機器の作動効率を改善できる改良された接続方式を良好に受け入れることができよう。
【課題を解決するための手段】
【０００４】
ステータコアに位置するステータ巻線を備える電気機器のためのステータが開示されている。前記ステータ巻線は、１つ以上の位相リード線を有し、各位相リード線は、電気的に並列な関係に配置された少なくとも２つの導線セグメントを有する単一の一体的導線を含む。前記少なくとも２つの導線セグメントのうちの第１導線セグメントと第２導線セグメントとの間で単一の一体的導線内に接続部分が形成され、該導線を電気的コンポーネントに接続するようになっている。
【０００５】
中心軸に位置するロータと、前記ロータに位置するステータとを備える電気機器も開示されている。前記ステータは、ステータコアと、前記ステータコアに配置されたステータ巻線とを備え、テータ巻線は、１つ以上の位相リード線を有し、各位相リード線は電気的に並列な関係に配置された少なくとも２つの導線セグメントを有する単一の一体的導線を含み、前記少なくとも２つの導線セグメントのうちの第１導線セグメントと第２導線セグメントとの間で単一の一体的導線内に接続部分が形成され、該導線を電気的コンポーネントに接続するようになっている。
【０００６】
次に、図面を参照するが、いくつかの図面において同様な要素には同様な番号が付けられている。
【図面の簡単な説明】
【０００７】
【図１】電気機器の一実施形態の横断面図である。
【図２】電気機器の一実施形態のステータ導線の略図である。
【図３】ステータ導線のためのアイレットの一実施形態の斜視図である。
【発明を実施するための形態】
【０００８】
図１には、電気機器、例えばオルタネータまたは発電機の一実施形態の横断面図が示されている。この電気機器１０は、電気機器１０の中心軸１４に回転自在に位置するロータを含むこのロータ１２は、ロータシャフト１６を備え、一部の実施形態ではロータ１６の外側表面に複数のロータラミネーション１８が固定されている。ロータ１２の径方向外側にはステータ２０が配置されており、このステータ２０は、ロータ１２の長手軸方向に延びており、実質的にロータ１２の周辺部を囲んでいる。ステータ２０は、複数のステータラミネーション２２を含み、これらラミネーションは、一部の実施形態では実質的に軸方向に配置され、ステータコア２４を形成している。このステータコア２４を複数の導線２６が貫通し、ステータ巻線を形成している。
【０００９】
図２を参照すると、ステータ巻線が巻線の各位相リード線に対して電気的に並列な関係に、または並列なパスに配置された導線２６の少なくとも２つの導線セグメント３０を含むという点で、この電気機器１０は、「並列パス」電気機器となっている。図２に示された実施形態では、ステータ巻線は３つの位相リード線２８を含み、ここで各位相リード線２８は、各位相リード線２８が２つの導線セグメント３０によって構成された１つの並列パスを有するように電気的に並列に配置された２つの導線セグメント３０を有する。一部の実施形態では、導線セグメント３０は、導線２６がステータコア２４を出るときにこの導線２６をステータコア２８に向けて戻すように反転させることによって、並列パスが形成された状態の同一導線２６の部分となっている。
【００１０】
導線セグメント３０の両端３２は、ステータコア２４を出て、接続部分３６を介して配線ハーネス３４に接続されている。次に、この配線ハーネス３４は、外部コンポーネント、例えばインバータ３８またはコンバータに接続されている。次に図３を参照する。一部の実施形態では、接続部分３６は、ループ形状または一部ループ形状となっている。一部の実施形態では、接続部分３６は、ループまたは部分的ループ４０と、この部分的ループ４０の各端部から導線セグメント３０まで延びる位相リード線脚部４２とを含む。図３に示されるように、この接続部分３６は、導線セグメント３０と一体的に形成してもよいし、別の実施形態では、別個に形成し、例えば鑞付け方法または溶接方法により導線セグメント３０の各々に固定してもよい。
【００１１】
以上で、１つ以上の実施形態について図示し、説明したが、本発明の要旨および範囲から逸脱することなくこれら実施形態に関して変形または置換を行うことができる。従って、発明を限定することなく本発明を図解により説明したと理解すべきである。
【符号の説明】
【００１２】
１０  電気機器
１２  ロータ
１４  中心軸
１６  ロータシャフト
２０  ステータ
２２  ステータラミネーション
２４  ステータコア
２６  導線
２８  位相リード線
３０  導線セグメント
３２  端部
３４  配線ハーネス
３６  接続部分
３８  インバータ
４０  ループ
４２  脚部
【図１】
2013532948.tif 000003
【図２】
2013532948.tif 000004
【図３】
2013532948.tif 000005
【国際調査報告】
2013532948.tif 000006
2013532948.tif 000007
2013532948.tif 000008